(57)【要約】【課題】  被熱交換物の加熱によって発生した、被熱交換物の蒸気だけを優先的に冷却することのできる加熱冷却装置を提供する。【解決手段】  反応釜１のジャケット部２の内部に冷却流体管路６を設ける。冷却流体管路６には図示しない複数の冷却流体噴射口を設けると共に、冷却流体供給管５の一端を接続する。冷却流体供給管５の他端は、組み合わせ真空ポンプ４の循環路１５の一部と接続する。反応釜１内を管路２７によって外部熱交換器２６と接続する。  反応釜１内で加熱されて発生した被熱交換物の蒸気は、管路２７から外部熱交換器２６へと供給されて優先的に冷却される。【選択図】  図１
2006255503.tif 000002
【特許請求の範囲】
【請求項１】
被熱交換物を熱交換する熱交換室を形成して、当該熱交換室に熱交換流体を供給すると共に、熱交換室を吸引手段と接続して熱交換するものにおいて、被熱交換物の蒸気と熱交換して凝縮させる外部熱交換器を配置したことを特徴とする加熱冷却装置。
【発明の詳細な説明】
【技術分野】
【０００１】
本発明は、被熱交換物の加熱と冷却を連続して行うことのできる加熱冷却装置に関する。
【背景技術】
【０００２】
加熱冷却装置は、熱交換室に冷却流体供給管と吸引手段を接続して、冷却流体供給管の下部に集液板を取り付けると共に、冷却流体供給管と集液板に圧縮空気を吹き付ける圧縮空気供給管を接続したもので、冷却流体供給管の外周で蒸気を凝縮して冷却流体とし、この冷却流体を集液板に集液して圧縮空気によって被冷却物の全体に且つ均一に供給することにより、被冷却物の全体をムラなく冷却することができるものである。
【０００３】
この加熱冷却装置においては、被冷却物の内で蒸発した蒸気だけを優先的に冷却することができない問題があった。加熱と冷却を繰り返す工程においては、被熱交換物の加熱によって発生した、被熱交換物の蒸気だけを優先的に冷却しなければならない工程がある。
【特許文献１】特許第３１７０６６９号公報
【発明の開示】
【発明が解決しようとする課題】
【０００４】
解決しようとする課題は、被熱交換物の加熱によって発生した、被熱交換物の蒸気だけを優先的に冷却することのできる加熱冷却装置を提供することである。
【課題を解決するための手段】
【０００５】
本発明は、被熱交換物を熱交換する熱交換室を形成して、当該熱交換室に熱交換流体を供給すると共に、熱交換室を吸引手段と接続して熱交換するものにおいて、被熱交換物の蒸気と熱交換して凝縮させる外部熱交換器を配置したものである。
【発明の効果】
【０００６】
本発明の加熱冷却装置は、外部熱交換器を配置したことによって、熱交換室で被熱交換物の加熱によって発生した蒸気を、この外部熱交換器へ優先的に流入させることにより、被熱交換物の蒸気だけを優先的に冷却することができる。
【発明を実施するための最良の形態】
【０００７】
本発明は、被熱交換物の蒸気と熱交換して凝縮させる外部熱交換器を配置したものであるが、外部熱交換器としては、プレート式やシェル＆チューブ式等従来公知の熱交換器を使用することができる。
【実施例１】
【０００８】
本実施例においては、熱交換室として反応釜１のジャケット部２を用いた例を示す。反応釜１の内部に入れた図示しない被熱交換物を、ジャケット部２に供給する加熱源としての加熱用蒸気によって加熱して、加熱によって発生した被熱交換物の蒸気を外部熱交換器２６で冷却し凝縮させるものである。
【０００９】
反応釜１のほぼ全周にわたりジャケット部２を形成して、このジャケット部２に吸引手段としての組み合わせ真空ポンプ４と冷却流体供給管５を接続する。冷却流体供給管５は、ジャケット部２内に配置した冷却流体管路６と接続する。
【００１０】
冷却流体供給管５の下方部は、組み合わせ真空ポンプ４の循環路１５の一部と接続すると共に、上方部を冷却流体管路６の一端部と接続する。冷却流体管路６は、ジャケット部２内に螺旋状に配置して、図示はしないが冷却流体管路６の反応釜１側に複数の冷却流体噴射口を設ける。
【００１１】
ジャケット部２の左側上部には、流量調節弁７を介在した蒸気供給管８を接続する。この蒸気供給管８から、所定圧力すなわち温度の加熱用蒸気が、ジャケット部２へ供給されることによって、反応釜１内の被熱交換物を加熱することができるものである。
【００１２】
ジャケット部２の右側下方に排出管９を接続して、組み合わせ真空ポンプ４のエゼクタ１０と接続する。排出管９には、開閉弁１１と気液分離器１２をそれぞれ取り付ける。気液分離器１２は、排出管９から流下してくる蒸気と液体をそれぞれ分離することができるものであり、分離された蒸気は蒸気エゼクタ３へ吸引され、一方、分離された液体は管路２０を通って下方のエゼクタ１０へ吸引される。
【００１３】
蒸気エゼクタ３は、蒸気供給管８を分岐した分岐管２１に入口側を接続し、出口側を管路２２によって再度、蒸気供給管８の流量調節弁７の手前側に接続したもので、排出管９から流下してくるジャケット部２内の一部の蒸気を、蒸気エゼクタ３で吸引して再度、蒸気供給管８からジャケット部２へ供給することによって、ジャケット部２内の蒸気を強制的に循環させることができるものである。
【００１４】
組み合わせ真空ポンプ４を、エゼクタ１０とタンク１３と循環ポンプ１４を順次に循環路１５で連通して形成する。タンク１３の上部には、冷却流体としての冷却水を補給する冷却水補給管１６を接続する。循環路１５の一部を分岐して余剰水排出管１７と、上述した冷却流体供給管５をそれぞれ接続する。冷却流体供給管５は、組み合わせ真空ポンプ４を循環する循環流体の一部を、ジャケット部２の冷却流体管路６へ供給することによって、反応釜１を気化冷却することができるものである。
【００１５】
反応釜１の上方に外部熱交換器２６を配置して反応釜１と管路２７によって接続する。外部熱交換器２６は、いわゆるシェル＆チューブ・タイプの熱交換器であり、入口チューブ２８に管路２７を接続して、反応釜１内で発生した被熱交換物の蒸気をチューブ２８内に流入させ、管路３１を介してジャケット２９から外部熱交換器２６のシェル内へ噴射される冷却流体によって、流入した気化蒸気を冷却して凝縮し、出口チューブ３２と出口管路３３から系外へ排出することができるものである。このように、反応釜１内で発生した被熱交換物の蒸気だけを、外部熱交換器２６で優先的に冷却して凝縮させることができる。
【００１６】
外部熱交換器２６のジャケット２９からシェル内へ供給された冷却流体は、チューブ２８，３２内の被熱交換物の蒸気を冷却した後、管路３０から組み合わせ真空ポンプ４のエゼクタ１０に吸引され、タンク１３へ至る。
【００１７】
ジャケット部２の左側面に、管路２３と開閉弁２４を介在して組み合わせ真空ポンプ４のエゼクタ１０と接続する。この管路２３は、ジャケット部２内で発生した気化蒸気の一部をエゼクタ１０へ吸引することができるものである。
【００１８】
反応釜１内の被冷却物を冷却する場合は、冷却流体供給管５から冷却流体を冷却流体管路６内へ供給して、冷却流体管路６内を冷却流体で満たすと同時に、図示しない冷却流体管路６の反応釜１側に設けた複数の冷却流体噴射口から反応釜１の外表面全体へ冷却流体を噴射する。
【００１９】
一方、組み合わせ真空ポンプ４の循環ポンプ１４を駆動して、エゼクタ１０の発生する吸引力で排出管９または管路２３を介してジャケット部２内を所定の圧力状態、例えば、大気圧以下の真空状態、とすることにより、反応釜１の外表面へ噴射される冷却流体が反応釜１内の被冷却物の熱を奪って蒸発気化することにより、その蒸発潜熱によって被冷却物を気化冷却することができる。
【００２０】
このように反応釜１を冷却する場合に、冷却流体管路６の複数の冷却流体噴射口から反応釜１の外表面の全体に且つ均一に冷却流体を供給することができ、反応釜１の全体をムラなく気化冷却することができると共に、ジャケット部２内に発生した気化蒸気の一部を噴射する冷却流体の一部で冷却して凝縮すると同時に、冷却流体管路６の外表面でも冷却して凝縮することによって、ジャケット部２内での気化蒸気の対流が促進され、被冷却物の冷却効率を向上させることができる。
【００２１】
ジャケット部２で被冷却物を冷却した冷却流体の気化蒸気の一部及び気化しきれなかった冷却流体は、排出管９または管路２３を通ってエゼクタ１０に吸引されタンク１３に至る。
【００２２】
エゼクタ１０で発生することのできる吸引力は、エゼクタ１０を流下する流体の温度によって決まるために、冷却水補給管１６から適宜所定温度の冷却水をタンク１３へ補給することによって、エゼクタ１０を流下する流体温度を調節して、エゼクタ１０の吸引力をコントロールすることができる。
【００２３】
一方、反応釜1内の被加熱物を加熱する場合は、蒸気供給管８から加熱に適した温度の蒸気をジャケット部２へ供給することによって、蒸気が反応釜1内の被加熱物に熱を与えて加熱する。加熱により蒸気の凝縮した復水と一部の蒸気は、排出管９と気液分離器１２を通って、蒸気の分離された復水だけが管路２０からエゼクタ１０に吸引されタンク１３に至ると共に、復水の分離された蒸気は、蒸気エゼクタ３に吸引され、管路２２と蒸気供給管８から再度ジャケット部２へ供給される。
【図面の簡単な説明】
【００２４】
【図１】本発明の加熱冷却装置の実施例を示す構成図。
【符号の説明】
【００２５】
１  反応釜
２  ジャケット部
３  蒸気エゼクタ
４  組み合わせ真空ポンプ
５  冷却流体供給管
６  冷却流体管路
８  蒸気供給管
９  排出管
１０  エゼクタ
１２  気液分離器
１３  タンク
１４  循環ポンプ
１５  循環路
２６  外部熱交換器
２９  ジャケット
【図１】
2006255503.tif 000003